【手続補正書】
【提出日】平成15年8月25日(2003.8.25)
【手続補正１】
【補正対象書類名】明細書
【補正対象項目名】特許請求の範囲
【補正方法】変更
【補正の内容】
【特許請求の範囲】
【請求項１】
移動可能な基体（１）に流動性材料を付与するため、特に液状接着剤を間欠的に付与するための装置であって、
流動性材料を案内するための少なくとも一つの案内路（４６）と、
該案内路（４６）と連結されておりそして該材料を放射するための放射口に開口している少なくとも一つの放射通路を有する少なくとも一つのノズル構造体（８）と、
可動弁体（１４）と弁座（４４）とを有し、該材料の流れを中断するための弁構造体とを包含し、
該弁体（１４）と該弁座（４４）は、弁体（１４）が閉鎖位置に移動することによって材料の流れを中断し、そして開放位置への移動によって材料の流れを解放するため協働するよう構成されている装置において、
該弁体（１４）は、材料の流れ方向と反対の方向に移動されることによって、該弁座（４４）と接触して材料の流れを中断することを特徴とする装置。
【請求項２】
該弁体（１４）は、軸部分（１６）に固定されており、且つ、該弁体（１４）は、該軸部分（１６）よりも拡大された断面積を有していることを特徴とする請求項１に記載の装置。
【請求項３】
該弁体（１４）は、実質的に球形に形成されていることを特徴とする請求項２に記載の装置。
【請求項４】
該弁体（１４）は、ほぼ円錐台形部分（６０）を有しており、該円錐台形部分（６０）は、該弁座（４４）と接触可能であることを特徴とする請求項１又は２に記載の装置。
【請求項５】
該弁体（１４）は、該円錐台形部分（６０）に接続しているほぼ円盤形状部分（６２）を有していることを特徴とする請求項４に記載の装置。
【請求項６】
該弁体（１４）は、もう一つのほぼ円錐台形部分（６４）を有しており、該円錐台形部分（６４）は、該円盤形状部分（６２）に接続していることを特徴とする請求項５に記載の装置。
【請求項７】
軸部分（１６）は、両側から圧力空気（１０）によって負荷されうる差圧ピストン（１８）に取り付けられており、該差圧ピストン（１８）は、圧力負荷によって弁体（１４）と一緒に移動可能であることを特徴とする請求項１乃至６のいずれか一つに記載の装置。
【請求項８】
該差圧ピストン（１８）は、互いに反対側に位置する大きさが相違する２つの圧力空気負荷可能な作動面（３４，３６）を有しており、この２つの作動面は互いに独立的に圧力空気で負荷され得ることを特徴とする請求項７に記載の装置。
【請求項９】
該差圧ピストン（１８）は、大きい方の作動面（３４）に作用する力によって弁体（１４）を該開放位置に移動させるように構成されていることを特徴とする請求項８に記載の装置。
【請求項１０】
該差圧ピストン（１８）と協働するばねを有し、該ばねのばね力は、該差圧ピストン（１８）を介して弁体（１４）を該閉鎖位置の方向に偏倚させていることを特徴とする請求項７乃至９のいずれか一つに記載の装置。
【請求項１１】
該弁体（１４）は、該開放位置にあるときには、円筒形凹所内に実質的に置かれていることを特徴とする請求項１乃至１０のいずれか一つに記載の装置。
【請求項１２】
移動可能な基体（１）に流動性材料を付与するため、特に液状接着剤を間欠的に付与するための装置であって、
流動性材料を案内するための少なくとも一つの案内路（４６）と、
該案内路（４６）と連結されておりそして該材料を放射するための放射口に開口している少なくとも一つの放射通路を有する少なくとも一つのノズル構造体（８）と、
可動弁体（１４）と弁座（４４）とを有し、該材料の流れを中断するための弁構造体とを包含し、
該弁体（１４）と該弁座（４４）は、弁体（１４）が閉鎖位置に移動することによって材料の流れを中断し、そして開放位置への移動によって材料の流れを解放するため協働するよう構成されており、
該ノズル構造体（８）は、放射口近傍の下部領域内に、放射時に該放射口に関して移動する基体（１）と部分的に接触する外側接触領域（７４）を有している装置において、
該外側接触領域（７４）は、基体（１）に関して発散する湾曲部分を有していることを特徴とする装置。
【請求項１３】
該弁体（１４）は、材料の流れ方向と反対の方向に移動されることによって、該弁座（４４）と接触して材料の流れを中断することを特徴とする請求項１２に記載の装置。
【請求項１４】
該外側接触領域（７４）は、放射口から始まって基体（１）の移動方向とは反対の方向にのびていることを特徴とする請求項１２または１３に記載の装置。
【請求項１５】
該湾曲部分の断面は、部分円の形に形成されていることを特徴とする請求項１２乃至１４のいずれか一つに記載の装置。
【請求項１６】
基体（１）の移動方向からみて放射口の直後に剥離エッジ（７６）が形成されており、この位置においては、移動通路上の基体（１）は、該外側接触領域から接触離脱していることを特徴とする請求項１２乃至１５のいずれか一つに記載の装置。
【請求項１７】
該ノズル構造体（８）は、スリットノズル装置としてつくられており、該案内路（４６）は、分配溝（７２）に開口しており、該分配溝には、下流側において１つのスリット形状放射口を有する少なくとも１つの放射溝が接続されていることを特徴とする請求項１２乃至１６のいずれか一つに記載の装置。
【請求項１８】
該ノズル構造体（８）は、実質的にノズル受容部材（６８）と、該ノズル受容部材（６８）に取り付けられたノズル部材（７０）とから構成されており、該ノズル部材（７０）は、前記外側接触領域（７４）を有していることを特徴とする請求項１７に記載の装置。
【請求項１９】
該ノズル受容部材（６８）の内部に、材料を分配溝（７２）に導くための通路（６６）として直線貫通孔が設けられており、該直線貫通孔には案内路（４６）から材料が供給され、そして該直線貫通孔の下側出口は該分配溝（７２）に開口していることを特徴とする請求項１８に記載の装置。
【請求項２０】
作動中の該直線貫通孔は、垂直軸に対して傾斜配置されていることを特徴とする請求項１９に記載の装置。
【請求項２１】
該直線貫通孔と垂直軸とのなす角度は、約４５°であることを特徴とする請求項２０に記載の装置。
【請求項２２】
移動可能な基体（１）に流動性材料を付与するため、特に液状接着剤を間欠的に付与するための装置であって、
流動性材料を案内するための少なくとも二つ案内路（４６）と、
該二つ案内路（４６）と連結されておりそして該材料を放射するための放射口に開口している少なくとも一つの放射通路を有する一つの共通のノズル構造体（８４）と、
可動弁体（１４）と弁座（４４）とを有し、該材料の流れを中断するための少なくとも二つの弁構造体とを包含し、
該弁体（１４）と該弁座（４４）は、弁体（１４）が閉鎖位置に移動することによって材料の流れを中断し、そして開放位置への移動によって材料の流れを解放するため協働するよう構成されている装置において、
該少なくとも二つの弁構造体を制御するための制御装置（７７）を包含し、
該少なくとも二つの弁構造体の制御は、第一の作動状態においては材料放出のため両弁構造体が同時に該案内路（４６）を開放し、そして第二の作動状態においては該弁構造体がそれぞれの案内路（４６）を交番的に開放または閉鎖するような態様でなされることを特徴とする装置。
【請求項２３】
該少なくとも二つの案内路には、別々の材料源から流動性材料が供給されることを特徴とする請求項２２に記載の装置。
【請求項２４】
第三の作動状態においては、一方の弁構造体がその案内路（４６）を開放し、他方の弁構造体がその案内路（４６）を間欠的に開閉するように、それらの弁構造体が制御されることを特徴とする請求項２２に記載の装置。
【請求項２５】
該弁体（１４）は、材料の流れ方向と反対の方向に移動されることによって、該弁座（４４）と接触して材料の流れを中断することを特徴とする請求項２２乃至２４のいずれか一つに記載の装置。
【請求項２６】
基体（１）に流動性材料を付与する装置であって、
流動性材料を下流方向へ案内する案内路（４６）と、
前記案内路に設けられた弁座（４４）と、
前記案内路に設けられ、前記弁座の下流側に位置する弁体（１４）と、
前記弁体を前記弁座に対して移動させるための制御部（４）とを有し、
前記弁体（１４）は、下流側に向かって断面が拡大していく第一部分（６０）と、前記第一部分の下流側に設けられ下流側に向かって断面が先細りになる第二部分（６４）とを含み、前記弁体（１４）が上流方向へ移動することにより前記第一部分（６０）が前記弁座（４４）と接触して流動性材料が前記案内路（４６）を通って流れることを防止し、前記弁体（１４）が下流方向に移動することにより前記第一部分（６０）が前記弁座（４４）から離れて流動性材料が前記案内路（４６）を通ることができるように構成されていることを特徴とする装置。
【請求項２７】
前記第一部分は、円錐台形部分（６０）であることを特徴とする請求項２６に記載の装置。
【請求項２８】
前記第二部分は、円錐台形部分（６４）であることを特徴とする請求項２６又は２７に記載の装置。
【請求項２９】
前記第一部分と前記第二部分とは、円盤状部分（６２）により接続されていることを特徴とする請求項２６乃至２８に記載の装置。
【請求項３０】
移動する基体（１）に流動性材料を付与する装置に使用するノズル構造体（８）であって、
該装置の案内路（４６）と連通可能な通路（６６）を有するノズル受容体（６８）と、
前記ノズル受容体（６８）に取り付けられ、前記通路（６６）から流動性材料を受け取り流動性材料を基体（１）へ付与するためのノズル部材（７０）とを有し、
前記ノズル部材（７０）は、流動性材料の付与中に基体と接触する外側接触領域（７４）を有し、前記外側接触領域（７４）は、作動中に基体の移動方向と反対の方向にのびた湾曲部分を有していることを特徴とするノズル構造体。
【請求項３１】
前記湾曲部分の断面は、部分円の形に形成されていることを特徴とする請求項３０に記載のノズル構造体。
【請求項３２】
前記ノズル受容体（６８）は、基体と前記ノズル受容体（６８）との間に流動性材料が溜るのを防止するための剥離エッジ（７６）を有することを特徴とする請求項３０又は３１に記載のノズル構造体。
【請求項３３】
移動する基体（１）に流動性材料を付与する装置に使用するノズル構造体（８）であって、
ノズル受容体（６８）と、
前記ノズル受容体（６８）に取り付けられるノズル部材（７０）とを有し、
前記ノズル部材（７０）は、該装置の案内路（４６）と連通可能な分配溝（７２）と、前記分配溝（７２）から基体（１）へ流動性材料を放出するための放射口と、流動性材料の付与中に基体（１）と接触する外側接触領域（７４）とを有しており、
前記外側接触領域（７４）は、作動中に基体（１）の移動方向と反対の方向に前記放射口からのびた湾曲部分を有していることを特徴とするノズル構造体。
【請求項３４】
前記ノズル受容体（６８）は、前記分配溝（７２）へ流動性材料を供給するために該案内路（４６）と前記分配溝（７２）とに接続される通路（６６）を有していることを特徴とする請求項３３に記載のノズル構造体。
【請求項３５】
作動中の前記通路（６６）は、垂直軸に対して傾斜配置されていることを特徴とする請求項３４に記載のノズル構造体。
【請求項３６】
前記通路（６６）と垂直軸とのなす角度は、約４５°であることを特徴とする請求項３５に記載のノズル構造体。
【手続補正２】
【補正対象書類名】明細書
【補正対象項目名】０００６
【補正方法】変更
【補正の内容】
【０００６】
しかして、本発明によれば、この目的は前記装置において、弁体が材料の流れに対向する方向に移動されることによって弁座と接触して材料の流れを中断することによって達成される。


【手続補正３】
【補正対象書類名】明細書
【補正対象項目名】００３９
【補正方法】変更
【補正の内容】
【００３９】
出入口５８はスリットノズル装置としてつくられたノズル構造８の内部に形成されている通路６６と連通している。通路６６は図９に示したノズル受容体６８の内部に真っ直ぐな貫通孔としてつくられている。図９に見られるように、この貫通孔としての通路６６は垂直軸に関して傾斜配置されている。図１に見られるように、ノズル受容体６８にはノズル部材（口金）７０が取りつけられている。ノズル部材７０は図１０ではノズル受容体６８から離れて示されているが、ボルト穴７１に通したボルトによってノズル部材はノズル受容体にねじ結合されている。図１に示した取り付けられた状態においては、直線傾斜通路６６の楕円形下端口は作動中水平配置となる分配溝７２に開口している。この分配溝の中で、接着剤は詳細に図示されていない多数の放射溝に導かれる。それら放射溝は公知の方法でノズル受容体６８とノズル部材７０との間に配置されたスペーサー薄板によって形成されている。放射溝は長いスリット形状でありそしてノズル構造（図１）の下端部のスリット状放射口内に開口している。接着剤はこれらの放射口から放出されうる。


【手続補正４】
【補正対象書類名】明細書
【補正対象項目名】００４０
【補正方法】変更
【補正の内容】
【００４０】
放射口の近辺において、ノズル構造８はノズル部材７０に形成された外側接触域７４を有する。接着剤付与中、放射口に関して移動する基体は少なくとも部分的にこの外側接触域７４と接触する。図１と図１０から理解されるように、この外側接触域７４は基体１に関して発散し湾曲された部分を有している。この部分は放射口から始まって基体１の移動方向−図１で見て左方向−と反対の方向にのびており、その断面（図１０）は部分円の形状である。図１では基体は平らに図示されて接触域７４と接触しているが、基体が、たとえば、ローラ案内されるフィルムである場合、基体の行路は多少湾曲することができる。


【手続補正５】
【補正対象書類名】明細書
【補正対象項目名】００４７
【補正方法】変更
【補正の内容】
【００４７】
次に、上記した本発明による装置の動作を説明する。１つまたは複数の接着剤源から液状接着剤または他の流動性材料が導管（図示なし）を通じて付与ヘッド２、７８、８０、９４、９６に導入されそして制御部４の案内路４６（図２乃至４）に案内される。弁体１４（図２）が開放位置にある時には、材料は円錐台形部分６０と弁座４４との間に形成されている隙間を通って円筒形空間５６に流入する。そこからさらに出入口５８を通ってノズル構造８に入り、そしてノズル受容体６８の内部に形成された直線傾斜路６６を通ってノズル部材７０内の実質的に水平な分配溝７２に流入する。材料は分配溝７２で多数のスリット状放射路に分配されそしてノズル構造８の下端部の多数のスリット型放射口に向かって流れる。それらの放射口から材料は移動している基体１の上に放出付与される。